【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】画像公開装置、制御方法、プログラム及び記憶媒体
【手続補正２】
【補正対象書類名】明細書
【補正対象項目名】特許請求の範囲
【補正方法】変更
【補正の内容】
【特許請求の範囲】
【請求項１】
ブラウザ機能を有する通信端末に対してネットワーク経由で画像情報を公開する画像公開装置であって、
前記通信端末から画像情報の公開要求を受け付ける画像要求受付手段と、
前記画像要求受付手段により受け付けられた画像情報に添付された文字列情報を取得する文字列取得手段と、
前記文字列取得手段により取得された文字列情報を予め設定された文字数にしたがって加工する文字列加工手段と、
前記文字列加工手段によって加工された文字列情報を含む、前記ブラウザ機能で解析可能なページ情報を作成する作成手段とを備えることを特徴とする画像公開装置。
【請求項２】
前記設定文字数は、前記通信端末上で表示される複数の画面の種類に応じて異なり、
前記作成手段は、前記通信端末上で表示される複数の画面の種類に応じたページ情報を作成することを特徴とする請求項１記載の画像公開装置。
【請求項３】
前記設定文字数の境界に当たる文字が１バイト文字か２バイト文字のいずれであるかを判別する判別手段とを更に備え、
前記文字列加工手段は、前記判別手段による判別結果に応じて、前記設定文字数とは異なる文字数にしたがって文字列情報を加工することを特徴とする請求項１又は２記載の画像公開装置。
【請求項４】
前記文字列情報は前記画像情報の名称であることを特徴とする請求項１乃至３のいずれか１つに記載の画像公開装置。
【請求項５】
ブラウザ機能を有する通信端末に対してネットワーク経由で画像情報を公開する画像公開装置の制御方法であって、
前記通信端末から画像情報の公開要求を受け付けるステップと、
前記受け付けられた画像情報に添付された文字列情報を取得するステップと、
前記取得された文字列情報を予め設定された文字数にしたがって加工するステップと、
前記加工された文字列情報を含む、前記ブラウザ機能で解析可能なページ情報を作成するステップとを備えることを特徴とする制御方法。
【請求項６】
ブラウザ機能を有する通信端末に対してネットワーク経由で画像情報を公開するための制御方法をコンピュータ装置に実行させるためのプログラムであって、
前記通信端末から画像情報の公開要求を受け付けるステップと、
前記受け付けられた画像情報に添付された文字列情報を取得するステップと、
前記取得された文字列情報を予め設定された文字数にしたがって加工するステップと、
前記加工された文字列情報を含む、前記ブラウザ機能で解析可能なページ情報を作成するステップとを備えることを特徴とするプログラム。
【請求項７】
ブラウザ機能を有する通信端末に対してネットワーク経由で画像情報を公開するための制御方法を実行させるためのプログラムをコンピュータ装置から読み出し可能に記憶した記憶媒体であって、
前記通信端末から画像情報の公開要求を受け付けるステップと、
前記受け付けられた画像情報に添付された文字列情報を取得するステップと、
前記取得された文字列情報を予め設定された文字数にしたがって加工するステップと、
前記加工された文字列情報を含む、前記ブラウザ機能で解析可能なページ情報を作成するステップとを備えることを特徴とする記憶媒体。
【手続補正３】
【補正対象書類名】明細書
【補正対象項目名】０００１
【補正方法】変更
【補正の内容】
【０００１】
【発明の属する技術分野】
本発明は、通信端末からリクエストされた画像情報や、その画像情報に添付された文字列情報を公開する画像公開装置、制御方法、プログラム及び記憶媒体に関するものである。
【手続補正４】
【補正対象書類名】明細書
【補正対象項目名】０００８
【補正方法】変更
【補正の内容】
【０００８】
本発明は、上記従来技術の問題点を解決するために提案されたものであり、その目的とするところは、通信端末からリクエストされた画像情報やその画像情報に添付された文字列情報を公開する際に、文字列情報を最適なデータ量に削減して通信エラーや表示エラーを防ぐような、画像公開装置、制御方法、プログラム及び記憶媒体を提供することにある。
【手続補正５】
【補正対象書類名】明細書
【補正対象項目名】０００９
【補正方法】変更
【補正の内容】
【０００９】
【課題を解決するための手段】
上記目的を達成するために、本発明の画像公開装置は、ブラウザ機能を有する通信端末に対してネットワーク経由で画像情報を公開する画像公開装置であって、前記通信端末から画像情報の公開要求を受け付ける画像要求受付手段と、前記画像要求受付手段により受け付けられた画像情報に添付された文字列情報を取得する文字列取得手段と、前記文字列取得手段により取得された文字列情報を予め設定された文字数にしたがって加工する文字列加工手段と、前記文字列加工手段によって加工された文字列情報を含む、前記ブラウザ機能で解析可能なページ情報を作成する作成手段とを備えることを特徴とする。
【手続補正６】
【補正対象書類名】明細書
【補正対象項目名】００１０
【補正方法】変更
【補正の内容】
【００１０】
ここで、前記設定文字数は、前記通信端末上で表示される複数の画面の種類に応じて異なり、前記作成手段は、前記通信端末上で表示される複数の画面の種類に応じたページ情報を作成する。また、前記設定文字数の境界に当たる文字が１バイト文字か２バイト文字のいずれであるかを判別する判別手段とを更に備え、前記文字列加工手段は、前記判別手段による判別結果に応じて、前記設定文字数とは異なる文字数にしたがって文字列情報を加工する。また、前記文字列情報は前記画像情報の名称である。
【手続補正７】
【補正対象書類名】明細書
【補正対象項目名】００１１
【補正方法】変更
【補正の内容】
【００１１】
又、本発明の制御方法は、ブラウザ機能を有する通信端末に対してネットワーク経由で画像情報を公開する画像公開装置の制御方法であって、前記通信端末から画像情報の公開要求を受け付けるステップと、前記受け付けられた画像情報に添付された文字列情報を取得するステップと、前記取得された文字列情報を予め設定された文字数にしたがって加工するステップと、前記加工された文字列情報を含む、前記ブラウザ機能で解析可能なページ情報を作成するステップとを備えることを特徴とする。
【手続補正８】
【補正対象書類名】明細書
【補正対象項目名】００１２
【補正方法】変更
【補正の内容】
【００１２】
又、本発明のプログラムは、ブラウザ機能を有する通信端末に対してネットワーク経由で画像情報を公開するための制御方法をコンピュータ装置に実行させるためのプログラムであって、前記通信端末から画像情報の公開要求を受け付けるステップと、前記受け付けられた画像情報に添付された文字列情報を取得するステップと、前記取得された文字列情報を予め設定された文字数にしたがって加工するステップと、前記加工された文字列情報を含む、前記ブラウザ機能で解析可能なページ情報を作成するステップとを備えることを特徴とする。
【手続補正９】
【補正対象書類名】明細書
【補正対象項目名】００１３
【補正方法】変更
【補正の内容】
【００１３】
又、本発明の記憶媒体は、ブラウザ機能を有する通信端末に対してネットワーク経由で画像情報を公開するための制御方法を実行させるためのプログラムをコンピュータ装置から読み出し可能に記憶した記憶媒体であって、前記通信端末から画像情報の公開要求を受け付けるステップと、前記受け付けられた画像情報に添付された文字列情報を取得するステップと、前記取得された文字列情報を予め設定された文字数にしたがって加工するステップと、前記加工された文字列情報を含む、前記ブラウザ機能で解析可能なページ情報を作成するステップとを備えることを特徴とする。
【手続補正１０】
【補正対象書類名】明細書
【補正対象項目名】０１８２
【補正方法】変更
【補正の内容】
【０１８２】
【発明の効果】
以上説明したように、本実施形態によれば、携帯電話でのキャリアや携帯電話からの制限による表示できる情報量（データ量）の制約に対して、送出するデータを制御することができる。従って、携帯電話でのエラー表示や画面を表示できない問題を回避することができる。
【手続補正１１】
【補正対象書類名】明細書
【補正対象項目名】０１８４
【補正方法】変更
【補正の内容】
【０１８４】
又、複製したデータを参照処理することにより、膨大なオリジナルデータから処理する必要がなくなり、処理時間も短縮する効果がある。
【発明の効果】
以上説明したように、本発明によれば、通信端末からリクエストされた画像情報やその画像情報に添付された文字列情報を公開する際に、文字列情報を最適なデータ量に削減して通信エラーや表示エラーを防ぐことができる。